(57)【特許請求の範囲】
【請求項１】
接着剤供給口および加圧ガス供給口を有するスプレー本体と、このスプレー本体から延び出す硬性の挿入部と、互いに隣接して配置された接着剤噴射口および加圧ガス噴射口を有し、上記挿入部の先端側に設けられたノズル部と、上記スプレー本体から上記挿入部に沿って上記ノズル部までそれぞれ延び、上記接着剤供給口および上記加圧ガス供給口と上記接着剤噴射口および上記加圧ガス噴射口とをそれぞれ接続する接着剤用管状体および加圧ガス用管状体とを備えた生体接着剤用スプレーにおいて、上記挿入部と上記ノズル部との間に湾曲可能な軟性部を設け、上記スプレー本体にこのスプレー本体から上記軟性部の先端部まで延びる操作ワイヤを介して上記軟性部を湾曲操作する操作手段を設け、上記接着剤用管状体および上記加圧ガス用管状体の少なくとも上記軟性部に対応する部分をそれぞれ湾曲可能に形成し、上記スプレー本体、上記挿入部および上記軟性部を中空に形成し、それらの内部に上記加圧ガス用管状体を挿通し、この加圧ガス用管状体の内部に上記接着剤用管状体を挿通したことを特徴とする生体接着剤用スプレー。
【請求項２】
上記接着剤供給口および上記接着剤噴射口をそれぞれ二つ宛形成し、各接着剤供給口と各接着剤噴射口とを別々の接着剤用管状体によってそれぞれ接続したことを特徴とする請求項１に記載の生体接着剤用スプレー。
【請求項３】
上記接着剤用管状体の先端部を上記接着剤噴射口に挿入し、上記加圧ガス噴射孔を上記接着剤噴射口に挿入された接着剤用管状体の外周に接するようにして形成したことを特徴とする請求項１または２に記載の生体接着剤用スプレー。
【請求項４】
上記スプレー本体には、上記接着剤供給口を有する保持部が上記スプレー本体と別体にかつ着脱可能に設けられ、上記ノズル部には、上記接着剤噴射口および上記加圧ガス噴射口を有するノズル駒がノズル部と別体にかつ着脱可能に設けられ、このノズル駒の接着剤噴射口および加圧ガス噴射口に上記接着剤用管状体および上記加圧ガス用管状体がそれぞれ取り外し可能に接続され、さらに接着剤用管状体が上記軟性部、上記挿入部および上記スプレー本体に対しそれらに沿って取り外し可能に設けられている請求項１〜３のいずれかに記載の生体接着剤用スプレー。
【発明の詳細な説明】
【０００１】
【産業上の利用分野】
この発明は、人体等の生体の傷口または切開部等に接着剤を吹き付けて固定するための生体接着剤用スプレーに関する。
【０００２】
【従来の技術】
一般に、生体接着剤用スプレーは、スプレー本体と、このスプレー本体から延び出す挿入部と、この挿入部の先端部に設けられたノズル部とを有しており、スプレー本体に設けられた接着剤供給口および加圧ガス供給口にそれぞれ供給された接着剤および加圧ガスをノズル部に形成された接着剤噴射口および加圧ガス噴射口からそれぞれ噴射させ、接着剤を霧状にして傷口等に吹き付けるようになっている。
【０００３】
ところで、接着すべき箇所が体腔内の深部にあるような場合には、仮に挿入部が柔軟なものであると、傷口等の近傍にある臓器によって挿入部が曲げられてしまい、接着剤を所望の箇所に正確に吹き付けることが困難になることがある。そこで、従来の生体接着剤用スプレーにおいては、挿入部として硬性のものが用いられていた。
【０００４】
【発明が解決しようとする課題】
しかしながら、挿入部を硬性にすると、接着剤を吹き付けるべき傷口が挿入方向と異なる方向を向いていたり、あるいは他の臓器の陰になっていたりすると、接着剤噴射口および加圧ガス噴射口を傷口に向けるのが困難になり、傷口等に接着剤を正確に吹き付けることができないという問題があった。
【０００５】
【課題を解決するための手段】
この発明は上記問題を解決するためになされたもので、接着剤供給口および加圧ガス供給口を有するスプレー本体と、このスプレー本体から延び出す硬性の挿入部と、互いに隣接して配置された接着剤噴射口および加圧ガス噴射口を有し、上記挿入部の先端側に設けられたノズル部と、上記スプレー本体から上記挿入部に沿って上記ノズル部までそれぞれ延び、上記接着剤供給口および上記加圧ガス供給口と上記接着剤噴射口および上記加圧ガス噴射口とをそれぞれ接続する接着剤用管状体および加圧ガス用管状体とを備えた生体接着剤用スプレーにおいて、上記挿入部と上記ノズル部との間に湾曲可能な軟性部を設け、上記スプレー本体にこのスプレー本体から上記軟性部の先端部まで延びる操作ワイヤを介して上記軟性部を湾曲操作する操作手段を設け、上記接着剤用管状体および上記加圧ガス用管状体の少なくとも上記軟性部に対応する部分をそれぞれ湾曲可能に形成し、上記スプレー本体、上記挿入部および上記軟性部を中空に形成し、それらの内部に上記加圧ガス用管状体を挿通し、この加圧ガス用管状体の内部に上記接着剤用管状体を挿通したことを特徴としている。
上記接着剤供給口および上記接着剤噴射口についてはそれぞれ二つ宛形成し、各接着剤供給口と各接着剤噴射口とを別々の接着剤用管状体によってそれぞれ接続するようにしてもよい。
また、上記接着剤用管状体の先端部を上記接着剤噴射口に挿入し、上記加圧ガス噴射孔を上記接着剤噴射口に挿入された接着剤用管状体の外周に接するようにして形成するのが望ましい。
さらに、上記スプレー本体には、上記接着剤供給口を有する保持部を上記スプレー本体と別体にかつ着脱可能に設け、上記ノズル部には、上記接着剤噴射口および上記加圧ガス噴射口を有するノズル駒がノズル部と別体にかつ着脱可能に設け、このノズル駒の接着剤噴射口および加圧ガス噴射口に上記接着剤用管状体および上記加圧ガス用管状体がそれぞれ取り外し可能に接続し、さらに接着剤用管状体を上記軟性部、上記挿入部および上記スプレー本体に対しそれらに沿って取り外し可能に設けるのが望ましい。
【０００６】
【作用】
この発明に係る生体接着剤用スプレーにおいて、接着剤を吹き付けるべき箇所が挿入方向と異なる方向を向いていたり、あるいは他の臓器の陰になっていたりする場合には、ノズル部を吹き付け箇所近傍まで挿入する。その後、軟性部を湾曲させてノズル部の接着剤噴射口および加圧ガス噴射口を吹き付ける箇所に向ける。また、接着剤用管状体の一部が破れてそこから接着剤が出た場合、接着剤は加圧ガス用管状体の内部に広がるだけであり、スプレーの内部全体に広がることがない。
上記接着剤供給口および上記接着剤噴射口をそれぞれ二つ宛形成し、各接着剤供給口と各接着剤噴射口とを別々の接着剤用管状体によってそれぞれ接続した場合には、この発明に係るスプレーを二液性の接着剤の吹き付けに用いることができる。
上記接着剤用管状体の先端部を上記接着剤噴射口に挿入し、上記加圧ガス噴射孔を上記接着剤噴射口に挿入された接着剤用管状体の外周に接するようにして形成した場合には、加圧ガス噴射口が接着剤噴射口に接近するので、接着剤を加圧ガスによってより確実に霧化することができる。
上記スプレー本体に上記接着剤供給口を有する保持部を上記スプレー本体と別体にかつ着脱可能に設け、上記ノズル部に上記接着剤噴射口および上記加圧ガス噴射口を有するノズル駒をノズル部と別体にかつ着脱可能に設け、このノズル駒の接着剤噴射口および加圧ガス噴射口に上記接着剤用管状体および上記加圧ガス用管状体をそれぞれ取り外し可能に接続し、さらに接着剤用管状体を上記軟性部、上記挿入部および上記スプレー本体に対しそれらに沿って取り外し可能に設けた場合には、ノズル駒の接着剤噴射口および加圧ガス噴射口から接着剤用管状体および加圧ガス用管状体を取り外し、ノズル駒をノズル部から取り外すことができる。そして、ノズル駒を他の新たなノズル駒と交換することができる。また、ノズル駒の接着剤噴射口および加圧ガス噴射口から接着剤用管状体および加圧ガス用管状体を取り外すと、保持部をスプレー本体から取り外し、接着剤用管状体を軟性部、挿入部およびスプレー本体から取り外すことができる。そして、接着剤用管状体を他の新たな接着剤用管状体と交換することができる。
【０００７】
【実施例】
以下、この発明の一実施例について図１〜図８を参照して説明する。なお、この実施例は二液性接着剤をスプレーするようになっている。
まず、図１および図２に基づいてこの発明に係る生体接着剤用スプレー１の概略構成を説明すると、スプレー１は、スプレー本体２、このスプレー本体２から延び出す硬性の挿入部３、挿入部３の先端部に設けられた湾曲可能な軟性部４、およびこの軟性部４の先端部に設けられたノズル部５を備えている。
【０００８】
上記スプレー本体２の後端部には、接着剤供給口２１ａを有する口金２１が二つ設けられており、スプレー本体２の側部には加圧ガス供給口２２ａを有する口金２２が設けられている。一方、ノズル部５には、二つの接着剤噴射口５４ｃ，５４ｃ（図７および図８参照）が形成されるとともに、加圧ガス噴射口５４ｄ（図７および図８参照）が形成されている。
【０００９】
上記スプレー本体２、挿入部３及び軟性部４は、中空、かつ気密に形成されており、それぞれの内部空間は互いに連通し、全体として管状になっている。
【００１０】
上記接着剤供給口２１ａ，２１ａには、柔軟で湾曲可能な接着剤用チューブ（接着剤用管状体）６，６の一端部がそれぞれ接続されている。各チューブ６，６の他端部は、スプレー本体２、挿入部３および軟性部４の内部を通り、上記接着剤噴射口５４ｃ，５４ｃにそれぞれ接続されている。したがって、上記接着剤供給口２１ａ，２１ａに二液性の接着剤の一方と他方とをそれぞれ供給するとともに、加圧ガス供給口２２ａを供給すると、噴射口５４ｃ，５４ｃから接着剤がそれぞれ噴射されるとともに、加圧ガス噴射口５４ｄから加圧ガスが噴射される。そして、噴射口５４ｃ，５４ｃから噴射された接着剤は、噴射口５４ｄから噴射された加圧ガスによって霧化されるとともに、互いに混合される。
【００１１】
上記スプレー本体２の側部には、操作手段７が設けられている。この操作手段７は、スプレー本体２の一側壁を回動自在に貫通する軸７１を有している。この軸７１の外側の端部にはハンドル７２が設けられており、内側の端部にはプーリ７３が設けられている。このプーリ７３には、操作ワイヤ７４が半周にわたって巻回されている。この操作ワイヤ７４の両端部は、スプレー本体２、挿入部３および軟性部４を通り、上記ノズル部５の後端の一側部と他側部とにそれぞれ固定されている。したがって、ハンドル７２を回動操作すると軟性部４が湾曲する。例えば、図２においてハンドル７２を矢印Ａ方向へ回動させると、軟性部４が矢印Ｃ方向へ湾曲し、ハンドル７２を矢印Ｂ方向へ回動させると、軟性部４が矢印Ｄ方向へ湾曲する。軟性部７２の湾曲量はハンドル７２の回動量によって調節することができる。
【００１２】
次に、スプレー１のより詳細な構造を説明すると、図３に示すように、スプレー本体２の後端部には、口金保持体（保持部）８が着脱自在に固定されている。この口金保持体８は、ろうと状をなす筒部８１と、この筒部８１の大径側の開口部を塞ぐ蓋部８２とからなるものであり、筒部８１の小径側端部がスプレー本体２の後端部に着脱自在に嵌合され、ねじ９によって着脱自在に固定されている。また、蓋体８２には、上記口金２１，２１がそれぞれ螺合固定されている。各口金２１の接着剤供給口２１ａには、接続筒２１ｂを介してチューブ６が接着固定されている。
なお、符号８３で示すものは固定具（一部のみ図示）であり、この固定具８３は、周知のように、二つの注射器を並べたような構造をなす二液性接着剤用のシリンジ（図示せず）の各吐出口を接着剤供給口２１ａ，２１ａにそれぞれ接続したとき、シリンジがスプレー１から脱落するのを防止するためのものである。
【００１３】
また、スプレー本体２の内部には、柔軟な樹脂からなる保護筒（加圧ガス用管状体）１０が配置されている。この保護筒１０の一端部（後端部）はスプレー本体２に固定されており、他端部（先端部）は、図４、図５および図６に示すように、スプレー本体２、挿入部３および湾曲部４を貫通し、ノズル部５の後端部に固定されている。ここで、保護筒１０は、上記口金２２より先端側に取り付けられている。したがって、口金２２の加圧ガス供給口２２ａに供給された加圧ガスは、スプレー本体２から保護筒１０内に入り込み、その内部を通って加圧ガス噴射口５４ｄに導かれる。これから明らかなように、保護筒１０は、加圧ガス用管状体を兼ねている。勿論、図１の概略構成で示したように、保護筒１０を設けることなく、スプレー本体２、挿入部３および軟性部４を加圧ガス用管状体としてもよい。
【００１４】
上記保護筒１０の内部にはチューブ６，６が挿脱自在に挿通されており、これによってチューブ６が折れ曲がったり、あるいはスプレー本体２、挿入部３または軟性部４の内壁面等によって擦過されて傷付けられるのを防止するようになっている。また、保護筒１０のうちのスプレー本体２内に位置する部分は、金属製の帯板を螺旋状に巻回してなる螺旋管１１によって被覆されており、これによって保護筒１０がプーリ７３の回動等によって擦過されて傷つけられるのを防止するようになっている。
【００１５】
図３に示すように、スプレー本体２の内部には、二つのガイド管１２（図３においては一つのガイド管１２のみ図示）の一端部が固定されている。このガイド管１２は、金属製の帯板を螺旋状に巻回してなるものであり、図４、図５および図６に示すように、その他端部は挿入部３の内部の一側部と他側部とに沿ってそれぞれ配置され、これを貫通して軟性部４の後端部に達している。各ガイド管１２，１２の内部には、上記操作ワイヤ７４の一端部と他端部とがそれぞれ挿通されている。
【００１６】
図４および図５に示すように、上記挿入部３は、剛性を有する金属管３１を備えている。この金属管３１の後端部は、スプレー本体２の先端部内周に嵌合され、接着等の手段によって固定されている。この金属管３１の先端部内周には、図５に示すように、硬性の樹脂からなる接続筒３２の後端部が嵌合され、接着等の手段によって固定されている。接続筒３２の先端部内周には、金属製の接続筒３３が嵌合され、接着等の手段によって固定されている。
【００１７】
図５および図６に示すように、上記接続筒３３の先端部内周には、軟性部４の外被となる柔軟な樹脂製の保護チューブ４１が嵌合され、接着および糸巻き等の手段によって固定されている。保護チューブ４１の内部には、湾曲管４２が設けられている。この湾曲管４２は、内視鏡に用いられる周知のものと同様に、互いに回動可能に連結された多数の関節駒４２ａからなるものであり、各関節駒４２ａが相互に回動することにより、全体として湾曲可能になっている。また、湾曲管４２の内部には、金属製の帯板を螺旋状に巻回してなる螺旋管４３が配置されている。この螺旋管４３の内部には、上記保護筒１０が挿通されており、これによって保護筒１０が関節駒４２ａによって傷付けられるのを防止するようになっている。
【００１８】
上記ノズル部５は、図６および図７に示すように、断面円形の保持筒５１を有している。この保持筒５１の外周部には、軟性部４の保護チューブ４１が嵌合され、接着および糸巻き等の手段によって固定され、これによってノズル部５が軟性部４に接続固定されている。また、保持筒５１の後端面には、肉厚の薄い連結筒部５１ａが形成されている。この連結筒部５１ａの外周には、上記保護筒１０の先端部が嵌合固定されるとともに、その外側に上記螺旋管４３の先端部が嵌合固定されている。
【００１９】
上記保持筒５１の内部には、一対の挟持体５２，５２が嵌合されている。この挟持体５２，５２は、半円筒状をなすものであり、保持筒５１の先端部外周に螺合された保持ナット５３によって保持筒５１に固定されている。また、挟持体５２，５２内には、ノズル駒５４が嵌合されている。このノズル駒５４の外周面の一側部と他側部とには、平取り部５４ａ，５４ａが形成されており、この平取り部５４ａ，５４ａに挟持体５２，５２の内周面に形成された突出部５２ａ，５２ａが嵌合することにより、ノズル駒５４が一対の挟持体５２，５２に固定され、ひいては保持筒５１に固定されている。
【００２０】
図８に示すように、上記ノズル駒５４の後端側には、軸線に沿って後端面から先端側へ向かって延び、隣接する側部どうしが交差することによって互いに連通した二つの大径孔５４ｂ，５４ｂが形成されている。大径孔５４ｂ，５４ｂには、保護筒１０を介して送られる加圧ガスが供給される。
【００２１】
一方、ノズル駒５４の先端側には、大径孔５４ｂより小径の小径孔５４ｃ，５４ｃが形成されている。各小径孔５４ｃ，５４ｃは、大径孔５４ｂ，５４ｂと同芯に配置され、各大径孔５４ｂ，５４の底面から先端面まで延びている。各小径孔５４ｃ，５４ｃには、大径孔５４ｂ，５４ｂを貫通した接着剤用チューブ６，６の先端部が着脱自在に嵌合されている。これから明らかなように、小径孔５４ｃが上記接着剤噴射口になっている。なお、この実施例においては、チューブ６の先端を小径孔５４ｃから若干突出させ、チューブ６から接着剤を直接噴射させるようにしているが、小径孔５４ｃの先端と一致させてもよく、あるいは小径孔５４ｃの先端より後端側に位置させてもよい。
【００２２】
また、ノズル駒５４の先端側で小径孔５４ｃの周囲には、小径孔５４ｃと平行に延びる噴射孔５４ｄが形成されている。この場合、噴射孔５４ｄは、三つ形成され、小径孔５４ｃの周方向に等間隔に配置されているが、一つ若しくは二つまたは四つ以上形成してもよい。各噴射孔５４ｄは、その後端部が上記大径孔５４ｃに連通し、その先端部がノズル駒５４の先端面に開口している。したがって、噴射孔５４ｄには大径孔５４ｃを介して加圧ガスが供給され、その先端開口部から加圧ガスを噴射する。しかも、噴射孔５４ｄは、その一側部が小径孔５４ｃと交差することによって小径孔５４ｃと連通している。したがって、噴射孔５４ｄから噴射された加圧ガスは、接着剤用チューブ６から噴射された接着剤と噴射後直ちに接触し、接着剤を霧化するとともに、両チューブ６，６から噴射された接着剤を混合する。これから明らかなように、噴射孔５４ｄが上記加圧ガス噴射口になっている。
なお、小径孔５４ｃおよび噴射孔５４ｄが開口するノズル駒５４の先端面には、大径孔５４ｂと同芯で同径の座ぐり孔５４ｅが形成されている。
【００２３】
上記構成の生体接着剤用スプレー１によって生体の体腔内にある傷口に接着剤を吹き付ける場合には、接着剤供給口２１ａ，２１ａにシリンジ等の接着剤供給源を接続するとともに、加圧ガス供給口２２ａに加圧ガス供給源を接続する。なお、加圧ガスとしても、窒素ガス等の不活性ガスを用いる。また、加圧ガスの圧力は接着剤の種類に応じて適宜決定する。
【００２４】
次に、ノズル部５、軟性部４および挿入部３を体腔内に挿入し、ノズル部５を傷口の近傍に位置させる。そして、ハンドル７２を適宜回動させて、ノズル部５の接着剤噴射口５４ｃおよび加圧ガス噴射口５４ｄを傷口と対向させる。その後、チューブ６，６から接着剤を噴射させるとともに、噴射孔５４ｄから加圧ガスを噴射させる。すると、接着剤が加圧ガスによって霧化されるとともに混合され、傷口およびその近傍に吹き付けられる。
【００２５】
ここで、上記スプレー１によれば、軟性部４を湾曲させてノズル部５を所望の方向に向けることができるので、接着剤を傷口に正確に吹き付けることができる。また、挿入部３自体は硬性であるから、不用意に曲がって吹き付け位置が不正確になることもない。
【００２６】
また、二つの接着剤供給口２１ａと二つ接着剤噴射口５４ｃとを有しているので、二液性接着剤のスプレーにも用いることができる。また、接着剤用チューブ６を保護筒１０に挿通しているので、チューブ６の一部が破れたとしてもスプレー１内に接着剤が広がるのを防止することができる。逆に、保護筒１０を用いることなく、スプレー本体２、挿入部３および軟性部４を加圧ガス用管状体として用いた場合には、加圧ガス用管状体を設ける必要がないので、その分だけ装置全体を小型化することができるとともに、製造費を低減することができる。また、加圧ガス噴射口５４ｄをチューブ６の外周に接するように形成しているので、接着剤を加圧ガスによってより確実に霧化することができる。
【００２７】
ところで、スプレー１を長期間使用していると、接着剤によって接着剤噴射口５４ｃおよびチューブ６の先端開口部が徐々に閉じられ、接着剤の噴射量が不足したり、あるいは全く噴射することができなくなることがある。そのような場合には、ノズル駒５４およびチューブ６，６を例えば次のようにして交換することができる。
【００２８】
ノズル駒５４を取り外す場合には、保持ナット５３を保持筒５１から取り外す。次に、挟持体５２，５２およびノズル駒５３を保持体５１から前方へ抜き出す。このとき、挟持体５２およびノズル駒５４の前方への抜き出しを可能にするために、チューブ６については、若干弛んだ状態で保護筒１０内に挿通させておくのがよい。その後、ノズル駒５４からチューブ６を取り外す。また、チューブ６，６を取り外す場合には、まずねじ９を緩める。そして、口金保持体８をスプレー本体２から引き抜きいた後、さらに後方へ移動させる。すると、チューブ６が口金保持体８によって引っ張られ、保護筒１０から引き抜かれる。このようにして取り外されたノズル駒５４、チューブ６および口金保持体８は廃棄する。
なお、ノズル駒５４およびチューブ６の取り外し順序は、いずれを前に行ってもよい。
【００２９】
取り外したノズル駒５４およびチューブ６を新たなノズル駒５４およびチューブ６と取り換える場合は、新たなチューブ６およびそれが取り付けられた新たな口金保持体８を用意する。そして、チューブ６をスプレー本体２の後端開口部から保護筒１０内に挿通し、チューブ６の先端部を保持筒５１から突出させる。次に、保持筒５１から突出したチューブ６の先端部を新たなノズル駒５４の小径孔５４ｃに嵌合させる。その後、ノズル駒５４に一対の挟持体５２，５２を装着した状態で保持筒５１内に挿入し、保持ナット５３によって固定する。
【００３０】
なお、この発明は上記の実施例に限定されるものでなく、適宜設計変更可能である。
例えば、上記の実施例においては、二液性接着剤を用いる関係上、接着剤供給口２１ａと接着剤噴射口５４ｃとをそれぞれ２つ宛形成しているが、一液性接着剤を用いる場合には、一つ宛形成してもよい。
また、保護筒１０およびチューブ６の全体を柔軟で湾曲可能に形成しているが、少なくとも軟性部４に対応する部分だけを湾曲可能に形成してもよい。
また、スプレー本体２、挿入部３および軟性部４を中空に形成しているが、必ずしもそのようにする必要はない。例えば、挿入部および軟性部を中実にする場合には、その外周に沿ってチューブ６、操作ワイヤ７４、および加圧ガス用管状体を配置すればよい。
さらに、上記の実施例においては、口金保持体８をスプレー本体２に固定したとき、口金保持体８の段差面８１ａ，８１ｂがスプレー本体２の端面２ａおよび段差面２ｂと接触するようにしているが、それらの間に保持筒５１に対する挟持体５２およびノズル駒５４の嵌合長さ分より若干大きい程度の隙間を形成するようにしておいてもよい。そのようにすれば、ノズル駒５４を取り外す場合に、予めねじ９を緩めて、段差面８１ａ，８１ｂが端面２ａおよび段差面２ｂに突き当たるまで口金保持体８をスプレー本体２に押し込むことにより、チューブ６の先端部を挟持体５２およびノズル駒５４の抜き出しに必要な分だけ保持筒５１から前方へ突出させることができる。したがって、チューブ６を弛ませておく必要がなくなる。
【００３１】
【発明の効果】
以上説明したように、この発明によれば、接着剤を吹き付けるべき箇所がノズル部の挿入方向と異なる方向を向いていたり、あるいは他の臓器等の陰になっていたりするような場合であっても、当該箇所に接着剤を正確に吹き付けることができる。また、接着剤用管状体の一部が破れてそこから接着剤が出たとしても、接着剤がスプレー内部全体に広がるのを防止することができる。
接着剤供給口および接着剤噴射口をそれぞれ二つ宛形成し、各接着剤供給口と各接着剤噴射口とを別々の接着剤用管状体によってそれぞれ接続した場合には、二液性接着剤を吹き付けることができる。
接着剤用管状体の先端部を接着剤噴射口に挿入し、加圧ガス噴射孔を接着剤噴射口に挿入された接着剤用管状体の外周に接するようにして形成した場合には、接着剤をより確実に霧化することができる。
スプレー本体に接着剤供給口を有する保持部をスプレー本体と別体にかつ着脱可能に設け、ノズル部に接着剤噴射口および加圧ガス噴射口を有するノズル駒をノズル部と別体にかつ着脱可能に設け、このノズル駒の接着剤噴射口および加圧ガス噴射口に接着剤用管状体および加圧ガス用管状体をそれぞれ取り外し可能に接続し、さらに接着剤用管状体を軟性部、挿入部およびスプレー本体に対しそれらに沿って取り外し可能に設けた場合には、ノズル駒および接着剤用管状体を交換することができる。
【図面の簡単な説明】
【図１】この発明の一実施例の概略構成を示す図２のＸ−Ｘ線に沿う拡大断面図である。
【図２】同実施例の平面図である。
【図３】同実施例のスプレー本体の後端側部分の詳細を示す拡大断面図である。
【図４】同実施例のスプレー本体の先端側部分の詳細を示す図であって、図３と９０°異なる断面における拡大断面図である。
【図５】挿入部の先端側部分および軟性部の後端側部の詳細を示す図４と同様の拡大断面図である。
【図６】軟性部およびノズル部の詳細を示す図４と同様の拡大断面図である。
【図７】図６のＹ−Ｙ線に沿う拡大断面図である。
【図８】ノズル駒を示す図であって、図８（Ａ）は図８（Ｂ）のＡ−Ａ線に沿う断面図、図８（Ｂ），（Ｃ）はそれぞれ図８（Ａ）のＢ矢視、Ｃ矢視図、図８（Ｄ）は図８（Ｂ）のＤ−Ｄ線に沿う断面図である。
【符号の説明】
１  生体接着剤用スプレー
２  スプレー本体
３  挿入部
４  軟性部
５  ノズル部
６  接着剤用チューブ（接着剤用管状体）
７  操作手段
８  口金保持体（保持部）
１０  保護筒（加圧ガス用管状体）
２１ａ  接着剤供給口
２２ａ  加圧ガス供給口
５４  ノズル駒
５４ｃ  小径孔（接着剤噴射口）
５４ｄ  噴射孔（加圧ガス噴射口）
７４  操作ワイヤ
【図１】
0003560682.tif 000002
【図２】
0003560682.tif 000003
【図３】
0003560682.tif 000004
【図４】
0003560682.tif 000005
【図５】
0003560682.tif 000006
【図６】
0003560682.tif 000007
【図７】
0003560682.tif 000008
【図８】
0003560682.tif 000009